(57)【要約】【課題】  折畳み式携帯通信機器を閉じたときの第１の筐体と第２の筐体との合わせ面の隙間を目立たないようにして見映えのよいものとする。【解決手段】  液晶表示部２を有する第１の筐体３と、表面に操作部４を有する第２の筐体５と、これら第１の筐体３と第２の筐体５とを折畳み開閉自在に連結するヒンジ部６と備えた携帯電話機１において、第１の筐体３に、両筐体３，５を折り畳んだときに両筐体３，５の合わせ面に形成される隙間を隠すための凸条１３を設ける。【選択図】図１
2006324912.tif 000002
【特許請求の範囲】
【請求項１】
表面に液晶表示部を有する第１の筐体と、表面に操作部を有する第２の筐体と、上記第１の筐体と第２の筐体とを折畳み開閉自在に連結するヒンジ部とを備え、
上記第１の筐体には、外周に第１の筐体と第２の筐体とを折り畳んだときに第１の筐体と第２の筐体との合わせ面に形成される隙間を隠すための凸条が設けられていることを特徴とする折畳み式携帯通信機器。
【請求項２】
上記凸条は、第１の筐体の液晶表示部を有する面の外周の略全域にわたり設けられていることを特徴とする請求項１に記載の折畳み式携帯通信機器。
【請求項３】
液晶表示部を有する第１の筐体と、表面に操作部を有する第２の筐体と、該第１の筐体と第２の筐体とを水平軸によって折畳み開閉自在に連結するヒンジ部とを備え、
上記第１の筐体は、ヒンジ部側端部と、上記液晶表示部を有する第１の筐体本体とを備え、
上記第１の筐体本体は、ヒンジ部側端部に設けた上記水平軸に対して垂直な垂直軸を中心に表裏反転可能に支持された折畳み式携帯通信機器であって、
上記第１の筐体本体の液晶表示部を有する面の外周に第１の筐体と第２の筐体とを折り畳んだときに第１の筐体本体と第２の筐体との合わせ面に形成される隙間を隠すための凸条が設けられていることを特徴とする折畳み式携帯通信機器。
【請求項４】
上記第１の筐体本体の液晶表示部を有する面とは反対側の面の外周に凸条が設けられていることを特徴とする請求項３に記載の折畳み式携帯通信機器。
【請求項５】
上記凸条は、上記外周の略全域にわたり設けられていることを特徴とする請求項３又は４に記載の折畳み式携帯通信機器。
【請求項６】
上記第１の筐体のヒンジ部側端部の上記第２の筐体との合わせ面側には、上記第１の筐体本体の凸条と連続するように、ヒンジ部側凸条が設けられていることを特徴とする請求項３乃至５のいずれか１つに記載の折畳み式携帯通信機器。
【請求項７】
液晶表示部を有する第１の筐体と、表面に操作部を有する第２の筐体と、該第１の筐体と第２の筐体とを水平軸によって折畳み開閉自在に連結するヒンジ部とを備え、
上記第１の筐体は、ヒンジ部側端部と、上記液晶表示部を有する第１の筐体本体とを備え、
上記第１の筐体本体は、ヒンジ部側端部に設けた上記水平軸に対して垂直な垂直軸を中心に表裏反転可能に支持された折畳み式携帯通信機器であって、
上記第１の筐体本体の液晶表示部を有する面とは反対側の面の外周に凸条が設けられていることを特徴とする折畳み式携帯通信機器。
【請求項８】
上記凸条は、第１の筐体を構成する成形品と一体に形成されていることを特徴とする請求項１乃至７のいずれか１つに記載の折畳み式携帯通信機器。
【請求項９】
上記凸条は、第１の筐体を構成する成形品と別部品で構成され、該凸条が第１の筐体に貼り付けられていることを特徴とする請求項１乃至７のいずれか１つに記載の折畳み式携帯通信機器。
【請求項１０】
上記別部品よりなる凸条は、ゴム含有プラスチック樹脂を材料とする請求項９に記載の折畳み式携帯通信機器。
【請求項１１】
上記凸条の断面形状は、略矩形であることを特徴とする請求項１乃至１０のいずれか１つに記載の折畳み式携帯通信機器。
【請求項１２】
上記凸条の断面形状は、略台形であることを特徴とする請求項１乃至１０のいずれか１つに記載の折畳み式携帯通信機器。
【請求項１３】
上記凸条の断面形状は、略半円であることを特徴とする請求項１乃至１０のいずれか１つに記載の折畳み式携帯通信機器。
【請求項１４】
上記第２の筐体の表面における上記ヒンジ部と反対側の位置には、当接部が突出するように設けられ、
上記第１の筐体と第２の筐体とを折り畳んだときに、上記当接部が第１の筐体に当接するように構成されていることを特徴とする請求項１乃至１３のいずれか１つに記載の折畳み式携帯通信機器。
【請求項１５】
上記凸条は、第１の筐体と第２の筐体とを閉じたときに、第２の筐体の表面に当接するように構成されていることを特徴とする請求項１乃至１４のいずれか１つに記載の折畳み式携帯通信機器。
【発明の詳細な説明】
【技術分野】
【０００１】
本発明は、折畳み式携帯通信機器に関し、特にその外観形状に関するものである。
【背景技術】
【０００２】
従来、折畳み式携帯通信機器は、液晶等の表示部を有する第１の筐体と、操作部を有する第２の筐体と、これら第１の筐体と第２の筐体とを回転自在に結合するヒンジ部とを備えている。この折畳み式通信機器では、電話をするときに両筐体を開いて相手の電話番号を表示部で確認しながら入力し、通話する。また、メールをするときには、同様に両筐体を開いて入力する文字を表示部で確認しながら入力し、送信する。さらに、折畳み式携帯通信機器を使用しないときは両筐体を閉じ、表示部に傷が付いたり、不用意に入力ボタンが押されないようにした状態で持ち運ばれる。
【０００３】
そして、両筐体を閉じたとき、表示部と、操作部の表面から若干突出する操作ボタンとが互いに向かい合って閉じられるため、両筐体は、一定の隙間をもって閉じられる必要がある。このため、第１の筐体又は第２の筐体の表面の一部に突起を設け、その隙間を確保している。
【０００４】
例えば、特許文献１には、操作ボタンの操作性を向上させるため、操作ボタンの設置面と対向面との間隔を広げ、内面に取り付けられた部品や内面との接触をなくすように突起を設けたものが記載されている。
【０００５】
また、特許文献２には、表示部を有する第１筐体と、操作部を有する第２の筐体と、これら第１筐体と第２筐体とを折畳み可能に開閉するヒンジ部とを備えた折畳み型携帯通信装置において、操作部の表面高さよりも高く突出する突起を、ヒンジ部と反対側の開閉端及びヒンジ部と開閉端との間にそれぞれ設け、表示部のパネルと操作部のキーの天面との当接により、表示部のパネルに傷が付くことを防止することが記載されている。
【０００６】
また、特許文献３には、一対の筐体が、互いに重なり合う閉状態と互いに離間する開状態とに１つの回動軸を中心に回動可能に連結された折畳み式の携帯端末において、一方の筐体の外周縁部に、他方の筐体と重なり合った状態で、該他方の筐体の外周縁部の外側に位置するように該他方の筐体の方向に突出するリブ状凸部が形成されていることが記載されている。
【特許文献１】特開２００２−１３２４１８号公報（図１）
【特許文献２】特開２００３−２６４６１７号公報（図１）
【特許文献３】特開２００２−３００２４８号公報（図２）
【発明の開示】
【発明が解決しようとする課題】
【０００７】
従来技術の特許文献１及び特許文献２の折畳み式携帯通信機器は、ボタンの操作性を考慮し、ボタンの設置面よりもボタンを高くし、且つ対向面に接触しないように構成されている。しかしながら、折畳み式携帯通信機器の両筐体を閉じたときには、側面の隙間が大きくなって見映えが悪くなり、ボタンを高くした分、製品全体の高さも高くなってしまうので、持ち運びに不便であるという問題がある。
【０００８】
一方、特許文献３の折畳み式携帯通信機器は、一方の筐体の外周縁部に、他方の筐体と重なり合った状態で、該他方の筐体の外周縁部の外側に位置するように構成されており、側面の隙間は隠されている。しかしながら、一方の筐体に比べ他方の筐体の幅が大きくなり、デザイン面では好ましくなく、且つ全体の大きさが大きくなるので、持ち運びに不便であるという問題がある。
【０００９】
本発明は、かかる点に鑑みてなされたものであり、その目的とするところは、第１の筐体の構造に工夫を加えることで、折畳み式携帯通信機器を閉じたときの第１の筐体と第２の筐体との合わせ面の隙間を目立たないようにして見映えのよいものとすることにある。
【課題を解決するための手段】
【００１０】
上記の目的を達成するために、本発明の折畳み式携帯通信機器は、表面に液晶表示部を有する第１の筐体と、表面に操作部を有する第２の筐体と、上記第１の筐体と第２の筐体とを折畳み開閉自在に連結するヒンジ部とを備え、
上記第１の筐体には、外周に第１の筐体と第２の筐体とを折り畳んだときに第１の筐体と第２の筐体との合わせ面に形成される隙間を隠すための凸条が設けられているようにした。
【００１１】
上記の構成によれば、第１の筐体と第２の筐体とを折畳んだときに、第１の筐体の外周に設けた凸条によって第１の筐体と第２の筐体との合わせ面に形成される隙間が隠されるので、両筐体間の隙間を小さくすることが可能となる。
【００１２】
本発明の折畳み式携帯通信機器において好ましくは、上記凸条は、第１の筐体の液晶表示部を有する面の外周の略全域にわたり設けられているものとする。
【００１３】
上記の構成によると、第１の筐体と第２の筐体とを折畳んだときに、第１の筐体と第２の筐体との合わせ面の隙間が第１の筐体の液晶表示部を有する面の外周の略全域にわたって設けた凸条によって隠されるので、この隙間を全周において小さくすることが可能となる。
【００１４】
また、本発明の折畳み式携帯通信機器によれば、液晶表示部を有する第１の筐体と、表面に操作部を有する第２の筐体と、これら第１の筐体と第２の筐体とを水平軸によって折畳み開閉自在に連結するヒンジ部とを備え、
上記第１の筐体は、ヒンジ部側端部と、液晶表示部を有する第１の筐体本体とを備え、この第１の筐体本体は、ヒンジ部側端部に設けた上記水平軸に対して垂直な垂直軸を中心に表裏反転可能に支持された折畳み式携帯通信機器であって、
上記第１の筐体本体の液晶表示部を有する面の外周に第１の筐体と第２の筐体とを折り畳んだときに第１の筐体本体と第２の筐体との合わせ面に形成される隙間を隠すための凸条が設けられている。
【００１５】
上記の構成によると、第１の筐体と第２の筐体とを液晶表示部が内側になるよう閉じたとき、第１の筐体本体の液晶表示部を有する面の外周に設けた凸条によって、両筐体の合わせ面に形成される隙間が隠されるので、両筐体間の隙間を小さくすることが可能となる。
【００１６】
また、第１の筐体本体の液晶表示部を有する面の外周と、該第１の筐体の液晶表示部を有する面とは反対側の面の外周とに凸条を設ける構成とする。
【００１７】
上記の構成によると、第１の筐体と第２の筐体とを液晶表示部が内側になるよう閉じたときも、外側になるよう閉じたときも、第１の筐体の両面に設けた凸条によって、両筐体の合わせ面に形成される隙間が隠されるので、液晶表示部が表裏いずれにある場合であっても、両筐体間の隙間を小さくすることが可能となる。
【００１８】
また、上記凸条は、上記外周の略全域にわたり設けられるのが好ましい。
【００１９】
上記の構成によると、第１の筐体本体の外周の略全域にわたり、両筐体間の隙間を小さくすることが可能となる。
【００２０】
さらに、この第１の筐体本体が表裏反転可能な場合、上記第１の筐体のヒンジ部側端部の上記第２の筐体との合わせ面側には、上記第１の筐体本体の凸条と連続するように、ヒンジ部側凸条が設けられるのが好ましい。
【００２１】
上記の構成によると、第１の筐体本体の凸条がヒンジ部側凸条と連続するので、合わせ面における隙間を第１の筐体の外周の広範囲にわたり小さくすることができると共に、第１の筐体と第２の筐体との合わせ面において凸条が連続しているので、さらに見映えがよい。
【００２２】
また、該第１の筐体の液晶表示部を有する面とは反対側の面のみの外周に凸条が設けられるものとしてもよい。
【００２３】
上記の構成によると、第１の筐体と第２の筐体とを液晶表示部が外側になるよう閉じたとき、第１の筐体の液晶表示部を有する面の外周に設けた凸条によって、両筐体の合わせ面に形成される隙間が隠されるので、両筐体間の隙間を小さくすることが可能となる。
【００２４】
また、本発明の折畳み式携帯通信機器において好ましくは、該凸条は、第１の筐体を形成する成形品と一体に構成されるものとする。
【００２５】
上記の構成によると、部品点数が減り、コストダウンが行えると共に、凸条が第１の筐体からはがれ難いので、落下等に対する強度アップが行える。
【００２６】
また、本発明の折畳み式携帯通信機器において好ましくは、凸条は、第１の筐体を形成する成形品と別部品にて貼り付けられるものとする。
【００２７】
上記の構成によると、材料や形状が選択可能であるため、デザインの自由度が高まると共に、強度の高い材料を用いれば、落下等に対する強度アップが行える。
【００２８】
また、本発明の折畳み式携帯通信機器において好ましくは、別部品よりなる凸条は、ゴム含有プラスチック樹脂を材料とするものとする。
【００２９】
上記の構成によると、ゴム含有プラスチック樹脂として、ＴＰＥ（Thermoplastic-Elastomer）やＴＰＥＥ（Thermoplastic-Polyester-Elastomer）等のエラストマーが使用され、そのことで、製品の美観が向上する。
【００３０】
また、凸条の断面形状は、矩形、台形、略半円のいずれであってもよいものとする。
【００３１】
上記の構成によると、凸条の断面を適宜選択することで、デザインの自由度が高まり、落下等に対する強度アップも行える。
【００３２】
さらに、本発明の折畳み式携帯通信機器においては、上記第２の筐体の表面における上記ヒンジ部と反対側の位置には、当接部が突出するように設けられ、上記第１の筐体と第２の筐体とを折り畳んだときに、上記当接部が第１の筐体に当接するように構成されていてもよい。
【００３３】
上記の構成によると、当接部とヒンジ部とが離れているため、操作部の操作ボタンと、第１の筐体との接触を避けるためには、第１の筐体と第２の筐体との隙間を大きく保つ必要があり、このことで、その隙間も大きくなるが、凸条によってその隙間が目立たないものとなる。
【００３４】
上記凸条は、第１の筐体と第２の筐体とを閉じたときに、第２の筐体の表面に当接するように構成してもよい。
【００３５】
上記の構成によると、折畳み時に第１の筐体に設けた凸部が、第２の筐体の表面に当接しているので、第１の筐体が第２の筐体に対して撓むのが防止される。
【発明の効果】
【００３６】
以上説明したように、本発明の折畳み式携帯通信機器によれば、第１に、第１の筐体に設けた凸条により、第１の筐体と第２の筐体とを折り畳んだときに、第１の筐体と第２の筐体との合わせ面に形成される隙間が隠されるようにしている。このため、折り畳んだ状態において、上記合わせ面における隙間を小さくすることが可能で美観に優れるものとすることができる。
【００３７】
第２に、第１の筐体本体がヒンジ部側端部に設けた水平軸に対して垂直な垂直軸を中心に表裏反転可能に支持された折畳み式携帯通信機器において、第１の筐体と第２の筐体を閉じたときでも、第１の筐体本体は水平軸を中心に回転しうるので、撓みやすいが、凸条が第２の筐体に当接させるようにすれば、水平軸回りの回転を小さくすることができる。このため、折り畳んだ状態において、隙間を小さくすることが可能で美観に優れるものとすることができると共に、撓みを小さくすることができるので、品質を向上させることができる。
【００３８】
第３に、製品設計に当たり、第１の筐体と第２の筐体とを折り畳んだ状態において、隙間は可能な限り小さくするほうが望ましいが、小さくし過ぎるとボタンと液晶表示部が接近して携帯時に何らかの力が加わってボタンと液晶表示部が接触するという不具合が生じるが、本発明の折畳み式携帯通信機器によれば、第１の筐体に設けた凸条により、隙間を大きく取れる設計が可能となるので、そのような不具合が発生するのを防ぐことができる。
【００３９】
第４に、第１の筐体本体における液晶表示部のある面の外周に凸条を設けることにより、折畳み時に液晶表示部が露出した状態で、その面を下に置いても液晶表示部の保護をすることが可能となる。
【００４０】
第５に、凸条を第１の筐体とを別体のものとすることにより、デザインの自由度を高め、製品の美観を向上させることができると共に、落下等に対する強度アップが行える。
【発明を実施するための最良の形態】
【００４１】
以下、本発明の実施形態について、図に基づいて説明する。
【００４２】
−折畳み式携帯電話機の構成−
図１は、本発明の実施形態に係る折畳み式携帯通信機器としての折畳み式携帯電話機の開いた状態を示す斜視図である。図２は、図１の折畳み式携帯電話機の液晶表示部が内面にあるように閉じた状態を示す斜視図である。
【００４３】
図１乃至図４に示すように、本実施形態の携帯電話機１は、液晶表示部２を有する第１の筐体３と、表面に操作部４を有する第２の筐体５と、これら第１の筐体３と第２の筐体５とを折畳み開閉自在に連結するヒンジ部６とを備えている。
【００４４】
上記第１の筐体３は、下側が開いた平面視コ字状のヒンジ部側端部としての第１ヒンジ部６ａと、この第１ヒンジ部６ａに支持され、液晶表示部２を有する矩形状の第１の筐体本体３ａとを備えている。この液晶表示部２は矩形状の液晶画面を有し、その上側には、通話時にユーザの耳が当てられる受話部８が設けられている。
【００４５】
上記第２の筐体５は、携帯電話機１を閉じたときに内側となる表面に操作部４が設けられている。この操作部４には、複数の操作ボタン９が設けられている。操作部４の下側には、通話時にユーザの会話を拾う送話部１０が設けられている。操作部４よりも上側の表面から直方体状の第２ヒンジ部６ｂが膨出して形成されている。
【００４６】
上記ヒンジ部６は、上記第１の筐体３側の第１ヒンジ部６ａと、上記第２の筐体５側の第２ヒンジ部６ｂとからなる。すなわち、第２ヒンジ部６ｂの両側を第１ヒンジ部６ａの下端部が挟み込むようにして、水平軸Ｘによって第１ヒンジ部６ａと第２ヒンジ部６ｂとが連結されている。このようにして、第１の筐体３と第２の筐体５とが水平な水平軸Ｘを中心に折畳み開閉自在に構成されている。
【００４７】
さらに、上記第１ヒンジ部６ａには、水平軸Ｘの軸方向に対して垂直に延びる垂直軸Ｙが設けられている。すなわち、第１の筐体３と第２の筐体５とは、上記水平軸Ｘを中心に折畳み開閉操作自在に構成され、且つ上記第１の筐体本体３ａが上記垂直軸Ｙを中心に表裏反転可能に構成されている。
【００４８】
上記第２ヒンジ部６ｂの先端、つまり、第２の筐体５を表面側から視たときに表面側となる部分にスピーカ部１２が設けられている。このことで、スピーカ部１２は、第１の筐体３と第２の筐体５とを開いたときにも、閉じたときにも外観に現れるようになっている。
【００４９】
第２の筐体５における上記送話部１０と操作ボタン９との間には、当接部としての当接シート１１が突出して形成されている。本実施形態では、当接シート１１は、左右方向に延びる長細い外観を示し、その断面は略円形で、周囲の表面からの高さは約１．２ｍｍとなっている。
【００５０】
そして、本発明の特徴として、図５にも示すように、第１の筐体本体３ａの内側及び外側の外周の全域にわたって、断面略円形の凸条１３が連続して設けられている。この凸条１３の高さは、例えば、０.７〜１ｍｍであり、第１の筐体３と第２の筐体５とを折り畳んだときに第１の筐体３と第２の筐体５との合わせ面に形成される隙間を隠すように構成されている。
【００５１】
−作用−
次に、本実施形態に係る携帯電話機１の作用について説明する。
【００５２】
まず、図１のように第１の筐体３と第２の筐体５を開いた状態で電話通信やメールの入力が行われる。
【００５３】
次いで、図２に示すように、電話やメールが終わると、携帯電話機１は、第１の筐体３と第２の筐体５を水平軸Ｘを中心に回動されて閉じた状態にされ、鞄やポケットに収納される。
【００５４】
このとき、図４及び図５に示すように、第２の筐体５の操作ボタン９は、操作性の関係から第２の筐体５の表面から突出しているので、携帯電話機１を閉じたとき、第１の筐体３の内側面と、第２の筐体５の表面の操作ボタン９とが接近するが、当接シート１１により、その接触が防がれる。
【００５５】
上記当接シート１１近辺では、第１の筐体３と第２の筐体５とが当接しているので、撓みが殆どない。一方、第１ヒンジ部６ａは水平軸Ｘを中心に回動可能であり、且つ第１の筐体本体３ａは、垂直軸Ｙを中心に回転可能であるため、第１の筐体本体３ａを押さえると、第１ヒンジ部６ａと第１の筐体本体３ａとの合わせ面の近傍で内側へ向かう撓みが生じやすくなっている。
【００５６】
このため、本実施形態のような水平軸Ｘと垂直軸Ｙとを有するヒンジ部６を備えた携帯電話機１では、第１ヒンジ部６ａと第１の筐体本体３ａとの合わせ面の近辺で第１の筐体３の内側が操作ボタン９と接触しないようにするために、上記当接シート１１の高さが高く保たれている。このことにより、第１の筐体３と第２の筐体５は隙間が大きくなり見映えは非常に悪くなる傾向にある。
【００５７】
しかしながら、本実施形態の携帯電話機１では、液晶表示部２の内側及び外側の外周には、凸条１３が設けられているので、側面の隙間を小さくすることができ、第１の筐体３と第２の筐体５とを閉じたときの合わせ面の隙間を目立たないようにして、見映えのよいものとすることができる。
【００５８】
さらに、図６乃至図９に示すように、第１の筐体本体３ａを垂直軸Ｙを中心に反転させて閉じた状態で液晶表示部２が表れるようにし、携帯電話機１を横長状態として、ＴＶ放送を受信したり、内蔵のデジタルカメラで撮影をする場合がある。
【００５９】
この場合にも、第１の筐体本体３ａの液晶表示部２の設けられていない側にも、凸条１３が設けられているので、第１の筐体３と第２の筐体５とを閉じたときの合わせ面の隙間を小さくすることができ、この隙間を目立たないようにして、見映えのよいものとすることができる。
【００６０】
−実施形態の変形例１−
上記実施形態では、凸条１３は、第１の筐体本体３ａと第２の筐体５との隙間を小さくすることができるような最小限の高さのものとしたが、凸条１３を、第１の筐体３と第２の筐体５とを閉じたときに、第２の筐体５の表面に当接するような高さのものとしてもよい。
【００６１】
このことで、凸条１３が第２の筐体５に当接し、この第１の筐体本体３ａの撓みを防ぐことができ、ガタが生じにくく、携帯電話機１の品質を向上させることができる。
【００６２】
特に、横長状態として内蔵のデジタルカメラで撮影する場合、第１の筐体本体３ａがカメラのスイッチを押すときの反力受けの役割を果たす。このとき、本変形例の携帯電話機１は、水平軸Ｘ及び垂直軸Ｙを有しているので、第１の筐体本体３ａが上下方向に撓みやすいが、凸条１３が第２の筐体５に当接することで、この第１の筐体本体３ａの上下方向の撓みを防ぐことができる。したがって、携帯電話機１の撮影時の使いやすさを極めて向上させることができる。
【００６３】
また、このような高さの凸条１３を設けた場合には、第１の筐体本体３ａにおける液晶表示部２のある面の凸条１３によって、折畳み時に液晶表示部２が露出した状態でその面を下に置いても、液晶表示部２の保護をすることができる。
【００６４】
−実施形態の変形例２−
上記実施形態では、第１の筐体本体３ａの外周にのみ凸条１３を設けたが、図１０に示すように、第１の筐体３の第１ヒンジ部６ａの第２の筐体５との合わせ面側に、上記第１の筐体本体３ａの凸条１３と連続するように、ヒンジ部側凸条１４を設けてもよい。この場合には、第１の筐体本体３ａの凸条１３がヒンジ部側凸条１４と連続するので、合わせ面における隙間を第１の筐体３の外周の略全域にわたり小さくすることができると共に、凸条１３，１４が連続しているので、さらに見映えがよい。
【００６５】
さらに、第１の筐体３を開いたときに、第１の筐体本体３ａに設けた凸条１３と第１ヒンジ部６ａのヒンジ部側凸条１４とが連続するので、極めて見映えがよいものとなる。
【００６６】
−実施形態の変形例３−
また、上記実施形態では、凸条１３を第１の筐体３を形成する成形品と一体に構成したが、凸条は、第１の筐体３を形成する成形品と別部品にて貼り付けられるものとしてもよい。この場合には、材料や形状が選択可能であるため、デザインの自由度が高まると共に、落下等に対する強度アップが行える。この別部品は、ゴム含有プラスチック樹脂を材料とするものとしてもよい。ゴム含有プラスチック樹脂として、ＴＰＥ（Thermoplastic-Elastomer）やＴＰＥＥ（Thermoplastic-Polyester-Elastomer）等のエラストマーを使用することができ、そのことで、製品の美観を向上させることができる。
【００６７】
（その他の実施形態）
本発明は、上記実施形態について、以下のような構成としてもよい。
【００６８】
すなわち、上記実施形態では、第１の筐体本体３ａの両面の外周の略全域にわたり凸条１３を設けているが、第１の筐体本体３ａの液晶表示部２のある側のみの外周の略全域にわたり、凸条１３を設けてもよい。この構成によると、第１の筐体３と第２の筐体５とを折畳んだときを優先して、第１の筐体３と第２の筐体５との合わせ面の隙間が第１の筐体３の液晶表示部２を有する面の外周の略全域にわたって設けた凸条１３によって隠されるので、この隙間を全周において小さくすることが可能となる。
【００６９】
一方、第１の筐体本体３ａの液晶表示部２のない側のみの外周の略全域にわたり、凸条１３を設けてもよい。この場合には、第１の筐体３と第２の筐体５とを液晶表示部２が外側になるよう閉じたときを優先して、第１の筐体３の液晶表示部２を有する面の外周の略全域にわたって設けた凸条１３によって、両筐体３，５の合わせ面に形成される隙間が隠されるので、両筐体３，５間の隙間を全周において小さくすることが可能となる。
【００７０】
上記実施形態では、第１の筐体本体３ａの外周に断面略円形の凸条１３を設けたが、この断面は、略矩形や略台形のものとしてもよい。その形状は、触感、強度、外観等の面から任意に選択が可能である。
【００７１】
上記実施形態では、液晶表示部２のある第１の筐体本体３ａを第１ヒンジ部６ａの垂直軸Ｙを中心に表裏反転可能としたが、液晶表示部２は表裏反転不能で、第１の筐体３と第２の筐体５とを閉じたときに、常に内面にあるようにしてもよい。この場合には、液晶表示部２のある側の外周にのみ凸条を設けるとよい。
【００７２】
上記実施形態では、凸条を第１の筐体本体３ａの略全域にわたり設けているが、例えば、合わせ面の隙間が目立ちやすい側面にのみ凸条を設けるようにしてもよい。
【産業上の利用可能性】
【００７３】
以上説明したように、本発明は、第１の筐体と第２の筐体とを折畳み開閉自在に連結するヒンジ部を備えた折畳み式携帯通信機器について有用である。
【図面の簡単な説明】
【００７４】
【図１】本発明の実施形態に係る折畳み式携帯電話機の開いた状態を示す斜視図である。
【図２】液晶表示部が内面にあるように閉じた状態の折畳み式携帯電話機を示す斜視図である。
【図３】図２の折畳み式携帯電話機の平面図である。
【図４】図３のIV−IV線断面図である。
【図５】図３のＶ−Ｖ線断面図である。
【図６】液晶表示部が外面にあるように閉じた状態の折畳み式携帯電話機を示す斜視図である。
【図７】図６の折畳み式携帯電話機の平面図である。
【図８】図７のVIII−VIII線断面図である。
【図９】図７のIX−IX線断面図である。
【図１０】本発明の実施形態の変形例２に係る折畳み式携帯電話機の開いた状態で液晶表示部が表面にあるときを示す斜視図である。
【図１１】液晶表示部が裏面にあるときの図１０相当図である。
【符号の説明】
【００７５】
１      携帯電話機
２      液晶表示部
３      第１の筐体
３ａ    第１の筐体本体
４      操作部
５      第２の筐体
６      ヒンジ部
６ａ    第１ヒンジ部
６ｂ    第２ヒンジ部
１１      当接シート
１３      凸条
１４      ヒンジ部側凸条
Ｘ      水平軸
Ｙ      垂直軸
【図１】
2006324912.tif 000003
【図２】
2006324912.tif 000004
【図３】
2006324912.tif 000005
【図４】
2006324912.tif 000006
【図５】
2006324912.tif 000007
【図６】
2006324912.tif 000008
【図７】
2006324912.tif 000009
【図８】
2006324912.tif 000010
【図９】
2006324912.tif 000011
【図１０】
2006324912.tif 000012
【図１１】
2006324912.tif 000013